(57)【要約】【課題】  複数の独立電源型の発光装置の発光状態を均一化する。【解決手段】  自然エネルギーを用いて自立的に電力を発生する独立電源と、該独立電源からの給電によって発光する発光手段と、余剰電力を蓄電する蓄電池とからなる発光装置において、前記蓄電池が十分な充電状態にある場合には、自らの独立電源の出力を１あるいは複数の他の発光装置に供給する電力連系手段を備える。【選択図】      図１
2006340482.tif 000002
【特許請求の範囲】
【請求項１】
自然エネルギーを用いて自立的に電力を発生する独立電源と、該独立電源からの給電によって発光する発光手段と、余剰電力を蓄電する蓄電池とからなる発光装置であって、
前記蓄電池が十分な充電状態にある場合には、自らの独立電源の出力を１あるいは複数の他の発光装置に供給する電力連系手段を備える
ことを特徴とする発光装置。
【請求項２】
電力連系手段は、複数の他の発光装置のうち、蓄電池の充電状態が不十分な発光装置に対して選択的に独立電源の出力を供給することを特徴とする請求項１記載の発光装置。
【請求項３】
独立電源は太陽電池パネル及び／あるいは風力発電装置であることを特徴とする請求項１または２記載の発光装置。
【請求項４】
発光手段は屋外照明用の照明装置であることを特徴とする請求項１〜３いずれかに記載の発光装置。
【請求項５】
複数の請求項１〜４いずれかの発光装置を閉ループ状あるいは開ループ状に相互接続したことを特徴とする発光システム。
【請求項６】
自然エネルギーを用いて自立的に電力を発生する独立電源と、該独立電源からの給電によって発光する発光手段と、余剰電力を蓄電する蓄電池とからなる発光装置における電力の補完方法であって、
複数の発光装置を閉ループ状あるいは開ループ状に相互接続し、
前記蓄電池が十分な充電状態にある場合には、各発光装置から隣り合う一方あるいは両方の発光装置に独立電源の出力を供給することを特徴とする発光装置の電力補完方法。
【請求項７】
隣り合う発光装置のうち、蓄電池の充電状態が不十分な発光装置に対して選択的に独立電源の出力を供給することを特徴とする請求項６記載の発光装置の電力補完方法。
【請求項８】
独立電源が太陽電池パネル及び／あるいは風力発電装置であることを特徴とする請求項６または７記載の発光装置の電力補完方法。
【請求項９】
発光手段が屋外照明用の照明装置であることを特徴とする請求項６〜８いずれかに記載の発光装置の電力補完方法。
【発明の詳細な説明】
【技術分野】
【０００１】
本発明は、発光装置及び発光システム並びに発光装置の電力補完方法に関する。
【背景技術】
【０００２】
例えば特開２００３−３４６５２１号公報には、独立電源型の照明装置（街灯）が開示している。この照明装置は、風力発電装置や太陽電池パネル等、外部の商用配電系統から電力供給を受けることなく自立的に電力を発生する独立電源を備えるものであり、当該独立電源からの給電によって高輝度発光ダイオード等の照明用発光体を発光させるものである。また、この照明装置には、余剰電力を蓄電する蓄電池が備えられており、独立電源による給電が期待できないときには、蓄電池から照明用発光体に給電を行うようになっている。
【特許文献１】特開２００３−３４６５２１号公報
【発明の開示】
【発明が解決しようとする課題】
【０００３】
しかしながら、上記独立電源型の照明装置を各所に複数設置した場合、各々の照明装置は、その設置場所に応じて風の状態や日照状態が異なるので、当然に発電量が異なってくる。特に大きな建造物の陰に位置し、当該建造物によって風が遮られてしまうような場所に設置された照明装置は、発電量が著しく低いので、近隣に設置され発電量が比較的大きな他の照明装置に比較して不均衡な照明状態（照度が低い状態）となる。
また、このような発電量が比較的低い照明装置と比較的高い照明装置とでは、蓄電池における電力の充放電状態が異なるので、蓄電池の劣化状態に差異が生じる。すなわち、個々の照明装置毎に蓄電池に関する必要メンテナンス間隔が異なることになり、メンテナンスが煩雑となるという問題がある。
【０００４】
本発明は、上述した事情に鑑みてなされたものであり、以下の点を目的とするものである。
（１）複数の独立電源型の発光装置の発光状態を均一化する。
（２）複数の独立電源型の発光装置における蓄電池の使用状態を均一化する。
（３）独立電源型の発光装置におけるメンテナンスを容易化する。
【課題を解決するための手段】
【０００５】
上記目的を達成するために、本発明では、発光装置に係る第１の解決手段として、自然エネルギーを用いて自立的に電力を発生する独立電源と、該独立電源からの給電によって発光する発光手段と、余剰電力を蓄電する蓄電池とからなる発光装置において、前記蓄電池が十分な充電状態にある場合には、自らの独立電源の出力を１あるいは複数の他の発光装置に供給する電力連系手段を備える、という手段を採用する。
発光装置に係る第２の解決手段として、上記第１の手段において、電力連系手段は、複数の他の発光装置のうち、蓄電池の充電状態が不十分な発光装置に対して選択的に独立電源の出力を供給する、という手段を採用する。
発光装置に係る第３の解決手段として、上記第１または第２の手段において、独立電源は、太陽電池パネル及び／あるいは風力発電装置である、という手段を採用する。
発光装置に係る第４の解決手段として、上記第１〜第３いずれかの手段において、発光手段は屋外照明用の照明装置であることを特徴とする、という手段を採用する。
一方、本発明では、発光システムに係る解決手段として、上記第１〜第４いずれかの手段に係る発光装置を閉ループ状あるいは開ループ状に相互接続する、という手段を採用する。
さらに、本発明では、発光装置の電力補完方法に係る第１の解決手段として、自然エネルギーを用いて自立的に電力を発生する独立電源と、該独立電源からの給電によって発光する発光手段と、余剰電力を蓄電する蓄電池とからなる発光装置における電力の補完方法であって、複数の発光装置を閉ループ状あるいは開ループ状に相互接続し、前記蓄電池が十分な充電状態にある場合には、各発光装置から隣り合う一方あるいは両方の発光装置に独立電源の出力を供給する、という手段を採用する。
発光装置の電力補完方法に係る第２の解決手段として、上記第１の解決手段において、隣り合う発光装置のうち、蓄電池の充電状態が不十分な発光装置に対して選択的に独立電源の出力を供給する、という手段を採用する。
発光装置の電力補完方法に係る第３の解決手段として、上記第１または第２の解決手段において、独立電源が太陽電池パネル及び／あるいは風力発電装置である、という手段を採用する。
発光装置の電力補完方法に係る第４の解決手段として、上記第１〜第３いずれかの解決手段において、発光手段が屋外照明用の照明装置である、という手段を採用する。
【発明の効果】
【０００６】
本発明によれば、各発光装置は、蓄電池が十分な充電状態にある場合には独立電源の出力を他の発光装置に供給するので、複数の発光装置の発光状態を均一化することが可能であると共に、複数の発光装置における蓄電池の使用状態を均一化することが可能である。また、蓄電池の使用状態が均一化するので、各発光装置における蓄電池の劣化状態を均一化することが可能となり、よって複数の発光装置に関する蓄電池のメンテナンスを容易化することが可能である。
【発明を実施するための最良の形態】
【０００７】
以下、図面を参照して、本発明の実施形態について説明する。なお、以下に説明する第１及び第２実施形態は、本発明に係る発光システムを屋外照明に適用した場合に関するものである。
【０００８】
〔第１実施形態〕
図１は、第１実施形態に係る照明システムのシステム構成図である。この図に示すように、本照明システムは、相互に電力連系するＮ個の街灯１〜Ｎ（照明装置）から構成されている。これら街灯１〜Ｎは例えば図２に示すように建物の周囲に離散して設置されており、本照明システムは、このように互いに隣り合うＮ個の街灯１〜Ｎを電線によって閉ループ状に相互接続することによって形成されている。また、本第１実施形態は、街灯１〜Ｎの電力供給方向が一方向、つまり街灯１→街灯２→……→街灯Ｎ→街灯１に設定されている点を特徴としている。
【０００９】
なお、図１に示すように、各街灯１〜Ｎにおける構成要件は全く同一である。したがって、各街灯１〜Ｎの構成要件において、同一の構成要件については同一の添え字ａ〜ｊを付し、重複する説明を省略するために、以下では代表として街灯１の構成について説明する。
【００１０】
街灯１は、太陽電池パネル１ａ（独立電源）、逆流防止ダイオード１ｂ，１ｅ、選択スイッチ１ｃ、風力発電装置１ｄ（独立電源）、昇降圧コンバータ１ｆ、蓄電池１ｇ、開閉スイッチ１ｈ、照明灯１ｉ（発光手段）及び制御装置１ｊを備えている。これら構成要件のうち、選択スイッチ１ｃ及び制御装置１ｊは、本第１実施形態における連系手段を構成している。
【００１１】
太陽電池パネル１ａは、自然エネルギーの１つである太陽光に基づいて電力を発生する半導体太陽電池が複数実装されたものであり、地上に立設されたポールの上端近傍に設けられている。逆流防止ダイオード１ｂは、太陽電池パネル１ａの出力端と選択スイッチ１ｃの共通端子との間に設けられており、アノード端子が太陽電池パネル１ａの出力端に、またカソード端子が選択スイッチ１ｃの共通端子にそれぞれ接続されている。
【００１２】
選択スイッチ１ｃは、上記共通端子を一方の選択端子Ａあるいは他方の選択端子Ｂに択一的に接続するものであり、一方の選択端子Ａが蓄電池の入出力端子に、また他方の選択端子Ｂが照明装置２の選択スイッチ２ｃの共通端子にそれぞれ接続されている。風力発電装置１ｄは、自然エネルギーの１つである風速に基づいて電力を発生するものである。この風力発電装置１ｄの方式としては、風車の回転軸が垂直な垂直軸方式あるいは風車の回転軸が水平な水平軸方式の何れであっても良い。
【００１３】
逆流防止ダイオード１ｅは、このような風力発電装置１ｄと昇降圧コンバータ１ｆとの間に設けられており、アノード端子が風力発電装置１ｄの出力端に、またカソード端子が昇降圧コンバータ１ｆの入力端にそれぞれ接続されている。昇降圧コンバータ１ｆは、太陽電池パネル１ａの出力電圧に一致させるように上記逆流防止ダイオード１ｅを介して入力される風力発電装置１ｄの出力電圧を昇圧／降圧するＤＣ／ＤＣ変換器であり、その出力端が上記選択スイッチ１ｃの共通端子に接続されている。
【００１４】
蓄電池１ｇは、選択スイッチ１ｃを介して入出力端子に入力される太陽電池パネル１ａ及び風力発電装置１ｄの出力電力を蓄電（充電）すると共に、当該出力電力に応じて自らが蓄電した電力を入出力端子を介して外部に放電する。開閉スイッチ１ｈは、照明灯１ｉと蓄電池１ｇの入出力端子及び選択スイッチ１ｃの一方の選択端子Ａとの間に設けられており、需要電力（太陽電池パネル１ａの出力電力、風力発電装置１ｄの出力電力あるいは蓄電池１ｇの出力電力）の照明灯１ｉへの供給を規制するものである。
【００１５】
制御装置１ｊには、図示するように蓄電池１ｇにおける入出力端子の端子電圧が入力されるようになっており、制御装置１ｊは、この端子電圧に基づいて上記選択スイッチ１ｃを制御する。また、この制御装置１ｊは、上記選択スイッチ１ｃの制御に加え、開閉スイッチ１ｈの開閉制御も行うように構成されている。
【００１６】
ここで、街灯１はこのような構成を有するが、街灯１〜Ｎにおける選択スイッチの共通端子は、上述した電力供給方向において上流側に位置する街灯１〜Ｎの選択スイッチにおける他方の選択端子Ｂと図示するように相互接続されている。例えば街灯１の選択スイッチ１ｃの共通端子は、上流側に位置する街灯Ｎの選択スイッチＮｃにおける他方の選択端子Ｂと接続され、街灯Ｎの選択スイッチＮｃの共通端子は、上流側に位置する街灯Ｎ−１の選択スイッチＮ−１ｃにおける他方の選択端子Ｂと接続されている。
【００１７】
次に、このように構成された照明システムの動作について詳しく説明する。
最初に、街灯１において、制御装置１ｊは、上記蓄電池１ｇの入出力端子における端子電圧が十分な充電状態を示す所定のしきい値以上の場合（例えば蓄電池１ｇが満充電状態にある場合）、選択スイッチ１ｃの共通端子を他方の選択端子Ｂと接続させる。すなわち、この状態では、太陽電池パネル１ａ及び風力発電装置１ｄの各出力電力は、電力供給方向において下流側に位置する街灯２に供給され、街灯１の照明灯１ｉが蓄電池１ｇからの給電によって駆動される。街灯１の制御装置１ｊは、夜間になって照明が必要になると開閉スイッチ１ｈを閉じ、蓄電池１ｇからの給電によって照明灯１ｉを作動させる。
【００１８】
そして、この場合、街灯２では、蓄電池２ｇの入出力端子における端子電圧が所定のしきい値以上の場合（つまり蓄電池２ｇが満充電状態にある場合）、選択スイッチ２ｃの共通端子を他方の選択端子と接続させることにより、街灯１の太陽電池パネル１ａ及び風力発電装置１ｄの各出力電力並びに街灯２の太陽電池パネル２ａ及び風力発電装置２ｄの各出力電力を電力供給方向においてさらに下流側に位置する街灯３に供給する。
【００１９】
すなわち、各街灯１〜Ｎの制御装置１ｊ〜Ｎｊは、蓄電池１ｇ〜Ｎｇが十分な充電状態にある場合には、太陽電池パネル１ａ〜Ｎａ及び風力発電装置１ｄ〜Ｎｄの各出力電力を電力供給方向において下流側に位置する街灯１〜Ｎに順次供給するので、各街灯１〜Ｎにおいて照明灯１ｉ〜Ｎｉに供給される給電電力が均一化され、何れかの照明灯１ｉ〜Ｎｉの照度が他の照明灯１ｉ〜Ｎｉの照度よりも極端に低い（暗い）という事態の発生を防止することができる。
【００２０】
一方、各々の街灯１〜Ｎにおいて、制御装置１ｊ〜Ｎｊは、蓄電池１ｇ〜Ｎｇの入出力端子における端子電圧が所定のしきい値を下回る場合（つまり蓄電池１ｇ〜Ｎｇが満充電状態にない場合）には、選択スイッチ１ｃ〜Ｎｃの共通端子を一方の選択端子Ａと接続させ、自らの太陽電池パネル１ａ〜Ｎａあるいは風力発電装置１ｄ〜Ｎｄからの電力を蓄電池１ｇ〜Ｎｇに充電させる。また、制御装置１ｊ〜Ｎｊは、夜間になって照明が必要になると開閉スイッチ１ｈ〜Ｎｈを閉じ、太陽電池パネル１ａ〜Ｎａあるいは風力発電装置１ｄ〜Ｎｄからの給電あるいは蓄電池１ｇ〜Ｎｇからの給電によって照明灯１ｉ〜Ｎｉを作動させる。
【００２１】
ここで、例えば街灯２の太陽電池パネル２ａ及び風力発電装置２ｄが十分な電力を出力できない状態にある場合であっても、街灯１から供給された太陽電池パネル１ａあるいは風力発電装置１ｄの出力電力によって街灯２の照明灯２ｉを作動させることができると共に、街灯２の蓄電池２ｇをも充電することができるので、各々の街灯１〜Ｎにおける蓄電池１ｇ〜Ｎｇの充電状態は均一化され、よって寿命も均一化される。したがって、各街灯１〜Ｎのメンテナンス間隔を均一化することができるので、メンテナンスの容易化を図ることができる。
【００２２】
〔第２実施形態〕
図３は、本発明の第２実施形態に係る照明システムのシステム構成図である。上述した第１実施形態では、電力連系における電力供給方向が街灯１→街灯２→……→街灯Ｎ→街灯１の順番で一方向に固定されていたが、本第２実施形態では上記電力供給方向が双方向、つまり街灯１’→街灯２’→……→街灯Ｎ’の方向（第1の方向）と街灯Ｎ’→……→街灯２’→街灯１’の方向（第２の方向）との両方に設定されている。
【００２３】
このような双方向の電力供給を実現するためには、本照明システムでは、図示するように街灯１’〜Ｎ’について、第２の選択スイッチ１ｋ〜Ｎｋを各々追加している。これら第２の選択スイッチ１ｋ〜Ｎｋは、第１の選択スイッチである選択スイッチ１ｃ〜Ｎｃの他方の選択端子Ｂに共通端子が接続され、一方の選択端子Ａが第1の方向において上流側（第２の方向において下流側）に位置する第１の選択スイッチ１ｃ〜Ｎｃの共通端子に接続され、また他方の選択端子Ｂが第1の方向において下流側（第２の方向において上流側）に位置する第１の選択スイッチ１ｃ〜Ｎｃの共通端子に接続されている。
【００２４】
例えば街灯１の第２の選択スイッチ１ｋについては、共通端子が第１の選択スイッチ１ｃの他方の選択端子Ｂに接続され、一方の選択端子Ａが第1の方向において上流側に位置する第Ｎの選択スイッチＮｃの共通端子に接続され、また他方の選択端子Ｂが第1の方向において下流側に位置する第２の選択スイッチ２ｃの共通端子に接続されている。
【００２５】
また、各街灯１’〜Ｎ’の制御装置１ｊ’〜Ｎｊ’には、図示するように蓄電池１ｇの入出力端子における端子電圧に加えて、第２の選択スイッチ１ｋ〜Ｎｋの一方の選択端子Ａの端子電圧及び他方の選択端子Ｂの端子電圧が入力されるようになっており、各制御装置１ｊ’〜Ｎｊ’は、これら各端子電圧に基づいて上記第1の選択スイッチ１ｃ〜Ｎｃ及び第２の選択スイッチ１ｋ〜Ｎｋを制御する。
【００２６】
このように構成された本照明システムの動作、つまり各制御装置１ｊ’〜Ｎｊ’の動作について、図４に示すフローチャートに沿って詳しく説明する。なお、各街灯１’〜Ｎ’の動作は同一なので、以下では代表として街灯１の制御装置１ｊ’の動作を説明する。
【００２７】
制御装置１ｊ’は、蓄電池１ｇの端子電圧を十分な充電状態を示すしきい値（８０％しきい値）と比較することにより、自らの蓄電池１ｇが満充電に対して８０％の充電状態にあるか否かを判断する（ステップＳ１）。そして、制御装置１ｊ’は、この判断が「ＮＯ」の場合、第１の選択スイッチ１ｃの共通端子を選択端子Ａに接続させる（ステップＳ2）。この結果、太陽電池パネル１ａ及び風力発電装置１ｄの出力電力は第１の選択スイッチ１ｃを介して蓄電池１ｇに供給されて充電が行われる。
【００２８】
一方、制御装置１ｊ’は、ステップＳ１の判断が「ＹＥＳ」の場合には、第1の方向において下流側に位置する街灯２’の蓄電池２ｇが満充電に対して８０％の充電状態にあるか否かを判断する（ステップＳ3）。ここで、各街灯１’〜Ｎ’における各第1の選択スイッチ１ｃ〜Ｎｃは基準状態では選択端子Ａを選択するようになっているため、制御装置１ｊ’は、蓄電池２ｇの入出力端に接続された第1の選択スイッチ２ｃを介して街灯２’の蓄電池２ｇの端子電圧（充電電圧）を把握することができる。
【００２９】
制御装置１ｊ’は、ステップＳ3における判断が「ＮＯ」の場合、第１の選択スイッチ１ｃの共通端子を選択端子Ｂに接続させ（ステップＳ4）、さらに第２の選択スイッチ１ｋの共通端子を選択端子Ｂ（下流側）に接続させる（ステップＳ5）。この結果、街灯１の太陽電池パネル１ａ及び風力発電装置１ｄの出力電力は第1の方向において下流側に位置する街灯２’に供給され、第１の選択スイッチ２ｃを介して蓄電池２ｇに供給され、当該蓄電池２ｇを充電させる。
【００３０】
一方、制御装置１ｊ’は、ステップＳ3における判断が「ＹＥＳ」の場合、第1の方向において上流側に位置する街灯Ｎ’の蓄電池Ｎｇが満充電に対して８０％の充電状態にあるか否かを判断する（ステップＳ6）。そして、この判断が「ＮＯ」の場合、第１の選択スイッチ１ｃの共通端子を選択端子Ｂに接続させ（ステップＳ7）、さらに第２の選択スイッチ１ｋの共通端子を選択端子Ａ（上流側）に接続させる（ステップＳ8）。この結果、街灯１の太陽電池パネル１ａ及び風力発電装置１ｄの出力電力は第1の方向において上流側に位置する街灯Ｎ’に供給され、第１の選択スイッチＮｃを介して蓄電池Ｎｇに供給され、当該蓄電池Ｎｇを充電させる。
【００３１】
さらに、制御装置１ｊ’は、ステップＳ6における判断が「ＹＥＳ」の場合には、蓄電池１ｇの端子電圧を上述した８０％しきい値よりもさらに十分な充電状態であることを示す１００％しきい値と比較することにより、自らの蓄電池１ｇが満充電状態にあるか否かを判断する（ステップＳ9）。そして、制御装置１ｊ’は、この判断が「ＮＯ」の場合、第１の選択スイッチ１ｃの共通端子を選択端子Ａに接続させて（ステップＳ2）、蓄電池１ｇを満充電状態とさせる一方、判断が「ＹＥＳ」の場合には、第1の方向において下流側に位置する街灯２’の蓄電池２ｇが満充電状態にあるか否かを判断する（ステップＳ10）。
【００３２】
そして、制御装置１ｊ’は、ステップＳ10における判断が「ＮＯ」の場合、第１の選択スイッチ１ｃの共通端子を選択端子Ｂに接続させ（ステップＳ4）、さらに第２の選択スイッチ１ｋの共通端子を選択端子Ｂ（下流側）に接続させる（ステップＳ5）ことにより、街灯２’の蓄電池２ｇを満充電状態とする。一方、制御装置１ｊ’は、ステップＳ10における判断が「ＹＥＳ」の場合には、第1の方向において上流側に位置する街灯Ｎ’の蓄電池Ｎｇが満充電状態にあるか否かを判断する（ステップＳ11）。
【００３３】
そして、制御装置１ｊ’は、ステップＳ11における判断が「ＮＯ」の場合、第１の選択スイッチ１ｃの共通端子を選択端子Ｂに接続させ（ステップＳ7）、さらに第２の選択スイッチ１ｋの共通端子を選択端子Ａ（上流側）に接続させる（ステップＳ8）ことにより、街灯Ｎ’の蓄電池Ｎｇを満充電状態とする。そして、制御装置１ｊ’は、ステップＳ11における判断が「ＹＥＳ」の場合には、第１の選択スイッチ１ｃの共通端子を選択端子Ａに接続させる（ステップＳ2）、すなわち第１の選択スイッチ１ｃを基準状態に復帰させる。
【００３４】
このような本実施形態によれば、各街灯１’〜Ｎ’は、自らの蓄電池１ｇ〜Ｎｇの充電状態が８０％充電の状態にあるときは、上流側あるいは下流側の街灯１’〜Ｎ’の蓄電池１ｇ〜Ｎｇを充電させる。さらに、各街灯１’〜Ｎ’は、自らの蓄電池１ｇ〜Ｎｇの充電状態が満充電状態にあるときは、上流側あるいは下流側の各街灯１’〜Ｎ’の蓄電池１ｇ〜Ｎｇを満充電状態とすべく、自らの太陽電池パネル１ａ〜Ｎａ及び風力発電装置１ｄ〜Ｎｄの出力電力を上流側あるいは下流側の街灯１’〜Ｎ’に供給する。
【００３５】
すなわち、各街灯１’〜Ｎ’は、自らの蓄電池１ｇ〜Ｎｇの充電状態が十分な充電状態にあるときには、自らの太陽電池パネル１ａ〜Ｎａ及び風力発電装置１ｄ〜Ｎｄの出力電力を第1あるいは第２の電力供給方向に選択的に供給する。第１実施形態では電力供給方向が街灯１→街灯２→……→街灯Ｎ→街灯１の一方向に設定されていたが、本第２実施形態では上記電力供給方向が双方向に設定されており、したがって、各街灯１’〜Ｎ’における蓄電池１ｇ〜Ｎｇの充電状態がより確実に均一化され、以って照明灯１ｉ〜Ｎｉの照度及び蓄電池１ｇ〜Ｎｇの寿命がより確実に均一化される。
【００３６】
なお、本発明は、上記各実施形態に限定されるものではなく、例えば以下のような変形例が考えられる。
（１）上記各実施形態では各街灯１〜Ｎ，１’〜Ｎ’を閉ループ状に接続したが、各街灯１〜Ｎ，１’〜Ｎ’の配置が例えば直線状であった場合には、始端と終端に位置する街灯を接続して閉ループ状にするためには、始端の街灯と終端の街灯とを接続する比較的に長い電線が必要となる。このような場合には、各街灯１〜Ｎ，１’〜Ｎ’を閉ループ状ではなく、開ループ状（例えば街灯１と街灯Ｎを接続しない、あるいは街灯１’と街灯Ｎ’とを接続しない状態）に接続しても良い。
【００３７】
例えば、第1実施形態における街灯１〜Ｎを開ループ状に接続した場合、電力供給方向において最上流に位置する街灯１は街灯Ｎから給電を受けることができないが、街灯１の太陽電池パネル１ａ及び風力発電装置１ｄの出力容量が他の街灯Ｎの出力容量よりも大きい場合には、街灯１の蓄電池１ｇは、他の街灯Ｎに比べて十分に充電された状態にある確率が高くなるので、街灯１が街灯Ｎから給電を受けることができないことは大きな障害とはならない。
【００３８】
（２）上記各実施形態では、各街灯１〜Ｎ，１’〜Ｎ’の制御装置１ｊ〜Ｎｊ，１ｊ’〜Ｎｊ’は、蓄電池１ｇ〜Ｎｇの充電電圧のみをモニタして第1の選択スイッチ１ｃ〜Ｎｃや第２の選択スイッチ１ｋ〜Ｎｋを制御するが、上記充電電圧に加え、自らの太陽電池パネル１ａ〜Ｎａ及び風力発電装置１ｄ〜Ｎｄの各出力電力をもモニタし、これら出力電力をも加味して第1の選択スイッチ１ｃ〜Ｎｃや第２の選択スイッチ１ｋ〜Ｎｋを制御するようにしても良い。
【００３９】
（３）また、自ら、上流側及び下流側の蓄電池１ｇ〜Ｎｇが満充電状態になった場合に、制御装置１ｊ〜Ｎｊ，１ｊ’〜Ｎｊ’が風力発電装置１ｄ〜Ｎｄの風車の回転を抑えるようにブレーキを制御するようにしても良い。
（４）上記各実施形態では、蓄電池１ｇ〜Ｎｇが十分な充電状態にあることを８０％しきい値や１００％しきい値によって判定したが、十分な充電状態にあることを判定するためのしきい値はこれに限定されるものではない。
【００４０】
（５）上記各実施形態では、本発明を照明システムに適用した場合について説明したが、本発明はこれに限定されない。例えば発光装置の一種である表示装置（例えば屋外において発光によって文字や図形を表示する装置）に適用することが考えられる。
【図面の簡単な説明】
【００４１】
【図１】本発明の第１実施形態に係る照明システムのシステム構成図である。
【図２】本発明の第１実施形態における街灯１〜Ｎの設置例を示す模式図である。
【図３】本発明の第２実施形態に係る照明システムのシステム構成図である。
【図４】本発明の第２実施形態に係る照明システムの動作を示すフローチャートである。
【符号の説明】
【００４２】
１〜Ｎ…街灯、１ａ〜Ｎａ…太陽電池パネル（独立電源）、１ｂ〜Ｎｂ，１ｅ〜Ｎｅ…逆流防止ダイオード、１ｃ〜Ｎｃ…選択スイッチ、１ｄ〜Ｎｄ…風力発電装置（独立電源）、１ｆ〜Ｎｆ…昇降圧コンバータ、１ｇ〜Ｎｇ…蓄電池、１ｈ〜Ｎｈ…開閉スイッチ、１ｉ〜Ｎｉ…照明灯（発光手段）、１ｊ〜Ｎｊ…制御装置
【図１】
2006340482.tif 000003
【図２】
2006340482.tif 000004
【図３】
2006340482.tif 000005
【図４】
2006340482.tif 000006